(57)【要約】【課題】天蓋のロック機能を確保しつつ、材料を有効に利用できるようにする。【解決手段】底壁１の周囲に前壁２、一対の側壁３及び後壁４を連設し、後壁４から天蓋５を延出し、前壁２は、底壁１に順次繋がる外前板６、頂板７及び内前板８を巻き込むように折り曲げた額縁構造とし、天蓋５の両側から延びる天側板１１を側壁３の内側に沿わせて、天蓋５を閉じる包装箱において、内前板８の両側部に、上方から下方へかけて基端の折目線１２ａが内向きに傾き、先端縁が外側方へ張り出す係止突起１２を設け、天側板１１の前縁に、基端側が切れ込んだ係止段部１３を形成し、後方へ折り曲げた係止突起１２を、折目線１２ａでの反発により斜め外側へ向いた状態で側壁３の内面に当接させ、天蓋５を閉じると、係止突起１２と係止段部１３とが係合し、天蓋５が閉止状態でロックされるようにし、天蓋５の先端のロック片を不要とする。【選択図】図２
2010120653.tif 000002
【特許請求の範囲】
【請求項１】
底壁(1)の周囲に前壁(2)、一対の側壁(3)及び後壁(4)を連設し、後壁(4)から天蓋(5)を延出し、前壁(2)は、底壁(1)に順次繋がる外前板(6)、頂板(7)及び内前板(8)を巻き込むように折り曲げた額縁構造とし、天蓋(5)の両側から延びる天側板(11)を側壁(3)の内側に沿わせて、天蓋(5)を閉じる包装箱において、前記内前板(8)の両側部に、上方から下方へかけて基端の折目線(12a)が内向きに傾き、先端縁が外側方へ張り出す係止突起(12)を設け、天側板(11)の前縁に、基端側が切れ込んだ係止段部(13)を形成し、後方へ折り曲げた係止突起(12)を、折目線(12a)での反発により斜め外側へ向いた状態で側壁(3)の内面に当接させ、天蓋(5)を閉じると、係止突起(12)と係止段部(13)とが係合し、天蓋(5)が閉止状態でロックされるようにしたことを特徴とする包装箱。
【発明の詳細な説明】
【技術分野】
【０００１】
この発明は、天蓋が後端をヒンジとして開閉し、閉じた状態でロックされる包装箱に関するものである。
【背景技術】
【０００２】
従来、この種の包装箱として、図６に示す段ボールブランクを図７に示すように組み立てるものが使用されている。
【０００３】
この包装箱のブランクでは、図６に示すように、長方形の底壁５１の一方の長辺に前壁５２が、一対の短辺に側壁５３がそれぞれ連設され、他方の長辺には後壁５４及び天蓋５５が順次連設されている。
【０００４】
前壁５２は、底壁５１に順次繋がる外前板５６、頂板５７及び内前板５８から構成されており、内前板５８の先端には２個の係合突起５８ａが、底壁５１には外前板５６との境界に沿って２個の係合穴５１ａがそれぞれ設けられている。
【０００５】
側壁５３の前端及び後端には、それぞれ折曲片５９，６０が連設され、天蓋５５の両側には、先端角部が丸い天側板６１が連設されている。
【０００６】
前壁５２には、頂板５７の中央部から外前板５６に少し切れ込んだロック穴６２が設けられ、天蓋５５の先端中央部には、先端角部が丸く、基端両側部が括れたロック片６３が設けられている。
【０００７】
このブランクを組み立てて物品を包装するには、図７に示すように、底壁５１から一対の側壁５３を起立させ、折曲片５９，６０を内側へ折り曲げ、外前板５６、頂板５７及び内前板５８を巻き込むように折り曲げて、係合突起５８ａを係合穴５１ａに係合させ、折曲片５９を抱持した額縁構造の前壁５２を形成する。
【０００８】
そして、箱内に物品を収納し、天側板６１を側壁５３の内側に沿わせて、天蓋５５を閉じ、ロック片６３をロック穴６２に差し込んで、ロック片６３の括れた部分をロック穴６２の両端縁に係合させることにより、天蓋５５を閉じた状態でロックする。
【発明の開示】
【発明が解決しようとする課題】
【０００９】
しかしながら、上記のような包装箱では、材料となる段ボールシートから複数個のブランクを並べて打ち抜く際、ロック片６３が他の包装箱のブランクに隣り合っていると、ロック片６３の側方部分を、相当な幅及び長さに亘って抜き落とさなければならず、材料を有効に利用できないという問題がある。
【００１０】
そこで、この発明は、天蓋のロック機能を確保しつつ、材料を有効に利用できるようにすることを課題とする。
【課題を解決するための手段】
【００１１】
上記のような課題を解決するため、この発明は、底壁の周囲に前壁、一対の側壁及び後壁を連設し、後壁から天蓋を延出し、前壁は、底壁に順次繋がる外前板、頂板及び内前板を巻き込むように折り曲げた額縁構造とし、天蓋の両側から延びる天側板を側壁の内側に沿わせて、天蓋を閉じる包装箱において、前記内前板の両側部に、上方から下方へかけて基端の折目線が内向きに傾き、先端縁が外側方へ張り出す係止突起を設け、天側板の前縁に、基端側が切れ込んだ係止段部を形成し、後方へ折り曲げた係止突起を、折目線での反発により斜め外側へ向いた状態で側壁の内面に当接させ、天蓋を閉じると、係止突起と係止段部とが係合し、天蓋が閉止状態でロックされるようにしたのである。
【発明の効果】
【００１２】
この包装箱では、前壁の内前板の両側に設けた係止突起と、天蓋の両側から延びる天側板の前縁に形成した係止段部とを係合させて、天蓋をロックするので、天蓋の先端にロック片を設ける必要がなくなり、材料のシートから複数個のブランクを並べて打ち抜く際、隣り合うブランク間の抜き落とす面積を削減でき、材料を有効利用することができる。
【発明を実施するための最良の形態】
【００１３】
以下、この発明の実施形態を添付図面に基づいて説明する。
【００１４】
図１に示すように、この包装箱の段ボールブランクでは、長方形の底壁１の一方の長辺に前壁２が、一対の短辺に側壁３がそれぞれ連設され、他方の長辺には後壁４及び天蓋５が順次連設されている。
【００１５】
前壁２は、底壁１に順次繋がる外前板６、頂板７及び内前板８から構成され、内前板８の先端には２個の係合突起８ａが、底壁１には外前板６との境界に沿って２個の係合穴１ａがそれぞれ設けられている。
【００１６】
側壁３の前端及び後端には、それぞれ折曲片９，１０が連設され、天蓋５の両側には、先端角部が丸い天側板１１が連設されている。
【００１７】
内前板８の両側部には、組立状態における上方から下方へかけて基端の折目線１２ａが内向きに傾き、先端縁が外側方へ張り出す三角状の係止突起１２が設けられ、天側板１１の組立状態における前縁には、基端側が切れ込んだ係止段部１３が形成されている。
【００１８】
このブランクを組み立てて物品を包装するには、図２に示すように、底壁１から一対の側壁３を起立させ、折曲片９，１０を内側へ折り曲げ、外前板６、頂板７及び内前板８を巻き込むように折り曲げて、係合突起８ａを係合穴１ａに係合させ、折曲片９を抱持した額縁構造の前壁２を形成する。
【００１９】
このとき、内前板８の下方への折り曲げに伴い、係止突起１２を後方へ折り曲げると、係止突起１２は、基端折目線１２ａでの反発により、上方から下方へかけて後方に迫り出すように、斜め外側へ向いた状態で、側壁３の内面に当接する。
【００２０】
その後、箱内に物品を収納し、図３乃至図５に示すように、天蓋５から折り曲げた天側板１１を側壁３の内側に沿わせて、天蓋５を閉じると、天側板１１の前縁が係止突起１２を押圧しつつ下降し、係止段部１３が係止突起１２の下端位置を越えた時点で、係止突起１２と係止段部１３とが係合して、天蓋５が閉止状態でロックされる。
【００２１】
このとき、側壁３が係止突起１２で外方向に押されているので、側壁３と天側板１１との衝突が回避され、天蓋５を容易に閉じることができ、また、係止突起１２と側壁３との摩擦により、前壁２が外側へ倒れようとする現象を防止することができる。
【００２２】
このように天蓋５を閉止状態でロックすると、収納した物品の盗難を防止することができるほか、天蓋５の浮き上がりが防止される。また、天蓋５の先端部が前壁２の比較的幅広に設定した頂板７の上面に載る設定になっているので、積上荷重等の作用時における天蓋５の落ち込みが防止され、頂板７により前壁２の湾曲も防止される。
【００２３】
また、一対の側壁３が下端折曲部の反発に伴い外側へ傾いても、係止突起１２が側壁３に当接している限り、内前板８と同一面に戻ることがなく、係止突起１２と係止段部１３との係合状態が保持され、天蓋５のロックが外れることがない。
【００２４】
上記のような包装箱では、天蓋５の先端にロック片を設ける必要がないので、材料の段ボールシートから複数個のブランクを並べて打ち抜く際、隣り合うブランク間の抜き落とす面積を削減でき、材料を有効利用することができる。
【００２５】
なお、上記実施形態では、側壁３の前端から折曲片９を延出したものを例示したが、内前板８の両端から折曲片９を延出して、この折曲片９を切り込むことにより、内前板８の両側に係止突起１２を設け、組み立てに際し、折曲片９を側壁３の内面に沿わせ、係止突起１２を折曲片９から起こすように折り曲げてもよい。
【００２６】
また、底壁１が長方形で組立形状が直方体となるものを例示したが、底壁１を六角形等の他の多角形やコーナー部分に丸みを有するものとして、周壁に面取り部分が形成された組立形状となる包装箱においても、同様の構成を採用することができる。
【図面の簡単な説明】
【００２７】
【図１】この発明の実施形態に係る包装箱のブランクを示す図
【図２】同上の組立過程を示す後方からの斜視図
【図３】同上の天蓋を閉じる過程を示す拡大部分斜視図
【図４】同上の天蓋を閉じた状態を示す後方からの斜視図
【図５】同上の縦断側面図
【図６】従来の包装箱のブランクを示す図
【図７】同上の組立過程を示す後方からの斜視図
【符号の説明】
【００２８】
１  底壁
１ａ  係合穴
２  前壁
３  側壁
４  後壁
５  天蓋
６  外前板
７  頂板
８  内前板
８ａ  係合突起
９，１０  折曲片
１１  天側板
１２  係止突起
１２ａ  折目線
１３  係止段部
【図１】
2010120653.tif 000003
【図２】
2010120653.tif 000004
【図３】
2010120653.tif 000005
【図４】
2010120653.tif 000006
【図５】
2010120653.tif 000007
【図６】
2010120653.tif 000008
【図７】
2010120653.tif 000009